(57)【要約】【課題】複数の蓄電装置のうち特定の蓄電装置に放電や充電が偏ることを効果的に防止することができる電力供給システムを提供する。【解決手段】配電線Ｌ・Ｌ１〜Ｌ８を介して各住宅Ｈへ電力を放電可能な複数の蓄電装置２０と、配電線Ｌ・Ｌ１〜Ｌ８における給電経路を切り替えることで、電力の流通方向における複数の蓄電装置２０の互いの位置関係を変更する切替装置３０と、蓄電装置２０の積算放電電力量を取得し、当該取得した積算放電電力量の少ない順番に、蓄電装置２０の放電の優先順位を設定し、切替装置３０の動作を制御することで、優先順位が上位の蓄電装置２０ほど電力の流通方向における下流側に配置されるように給電経路を切り替えるＥＭＳ５０と、を具備する。【選択図】図５
2017221050.tif 000002
【特許請求の範囲】
【請求項１】
配電線を介して負荷へ電力を放電可能な複数の蓄電装置と、
前記配電線における給電経路を切り替えることで、電力の流通方向における前記複数の蓄電装置の互いの位置関係を変更する切替装置と、
前記蓄電装置の積算放電電力量を取得し、当該取得した積算放電電力量の少ない順番に、前記蓄電装置の放電の優先順位を設定し、前記切替装置の動作を制御することで、前記優先順位が上位の蓄電装置ほど前記電力の流通方向における下流側に配置されるように前記給電経路を切り替える制御部と、
を具備する、
電力供給システム。
【請求項２】
前記切替装置は、
前記配電線に設けられ、当該設けられた箇所を開閉する複数の開閉機構を有し、当該複数の開閉機構を開閉することで前記給電経路を切り替える、
請求項１に記載の電力供給システム。
【請求項３】
前記蓄電装置は、
前記配電線にＮ個接続されるものであり、
前記配電線には、
系統電源から前記負荷に至る第一配電線と、
前記第一配電線上の互いに異なる２点に接続された複数の第二配電線と、
が含まれ、
前記複数の開閉機構には、
前記第一配電線に設けられるＮ＋１個の前記開閉機構と、
前記第二配電線に設けられるＮ２−１個の前記開閉機構と、
が含まれる、
請求項２に記載の電力供給システム。
【請求項４】
前記制御部は、
前記給電経路を第一給電経路から当該第一給電経路とは異なる第二給電経路に切り替える間、第三給電経路を電力供給可能な状態に保持する、
請求項１から請求項３までのいずれか一項に記載の電力供給システム。
【請求項５】
前記第三給電経路は、
前記切替装置の非動作時に使用される給電経路である、
請求項４に記載の電力供給システム。
【発明の詳細な説明】
【技術分野】
【０００１】
本発明は、複数の蓄電装置を具備する電力供給システムの技術に関する。
【背景技術】
【０００２】
従来、複数の蓄電装置を具備する電力供給システムの技術は公知となっている。例えば、特許文献１に記載の如くである。
【０００３】
特許文献１に記載の電力供給システムは、電力を充放電可能な複数の蓄電装置を有している。このような電力供給システムにおいては、複数の蓄電装置からの電力を負荷へと供給することができる。すなわち、１つの蓄電装置だけでは得ることが困難な電力量を、負荷へと供給することができる。
【０００４】
また、特許文献１に記載の電力供給システムにおいては、蓄電装置の充電状態（電力を蓄積可能な定格容量に対して蓄積されている充電残量の割合）や充電回数に基づいて、負荷へと電力を供給する蓄電装置を決定している。これによって、複数の蓄電装置のうち、特定の蓄電装置に放電や充電が偏ることを防止している。
【先行技術文献】
【特許文献】
【０００５】
【特許文献１】特開２０１３−１７９７２９号公報
【発明の概要】
【発明が解決しようとする課題】
【０００６】
しかし、負荷へと電力を供給する蓄電装置を決定するために、蓄電装置の充電残量の割合や充電回数に基づくことは、特定の蓄電装置に放電や充電が偏ることを防止するのに不十分であった。
【０００７】
本発明は、以上の如き状況を鑑みてなされたものであり、その解決しようとする課題は、複数の蓄電装置のうち特定の蓄電装置に放電や充電が偏ることを効果的に防止することが可能な電力供給システムを提供するものである。
【課題を解決するための手段】
【０００８】
本発明の解決しようとする課題は以上の如くであり、次にこの課題を解決するための手段を説明する。
【０００９】
即ち、配電線を介して負荷へ電力を放電可能な複数の蓄電装置と、前記配電線における給電経路を切り替えることで、電力の流通方向における前記複数の蓄電装置の互いの位置関係を変更する切替装置と、前記蓄電装置の積算放電電力量を取得し、当該取得した積算放電電力量の少ない順番に、前記蓄電装置の放電の優先順位を設定し、前記切替装置の動作を制御することで、前記優先順位が上位の蓄電装置ほど前記電力の流通方向における下流側に配置されるように前記給電経路を切り替える制御部と、を具備する、ものである。
【００１０】
前記切替装置は、前記配電線に設けられ、当該設けられた箇所を開閉する複数の開閉機構を有し、当該複数の開閉機構を開閉することで前記給電経路を切り替えることとしてもよい。
このような構成により、簡単に給電経路を切り替えることができる。
【００１１】
前記蓄電装置は、前記配電線にＮ個接続されるものであり、前記配電線には、系統電源から前記負荷に至る第一配電線と、前記第一配電線上の互いに異なる２点に接続された複数の第二配電線と、が含まれ、前記複数の開閉機構には、前記第一配電線に設けられるＮ＋１個の前記開閉機構と、前記第二配電線に設けられるＮ２−１個の前記開閉機構と、が含まれることとしてもよい。
このような構成により、Ｎ個の蓄電装置のうち特定の蓄電装置に放電や充電が偏ることを効果的に防止することができる。
【００１２】
前記制御部は、前記給電経路を第一給電経路から当該第一給電経路とは異なる第二給電経路に切り替える間、第三給電経路を電力供給可能な状態に保持することとしてもよい。
このような構成により、一時的な停電やノイズやサージが発生することなく給電経路を切り替えることができる。
【００１３】
前記第三給電経路は、前記切替装置の非動作時に使用される給電経路であるであることとしてもよい。
このような構成により、一時的な停電やノイズやサージが発生することなく給電経路を切り替えることができる。
【発明の効果】
【００１４】
本発明の効果として、以下に示すような効果を奏する。
【００１５】
複数の蓄電装置のうち特定の蓄電装置に放電や充電が偏ることを効果的に防止することができる。
【図面の簡単な説明】
【００１６】
【図１】第一実施形態に係る電力供給システムの構成を示したブロック図。
【図２】同じく、配電線から電力を供給する場合の電力の流れを示したブロック図。
【図３】同じく、ＥＭＳによる事前設定の処理を示したフローチャート。
【図４】同じく、ＥＭＳによる切替装置の動作の処理を示したフローチャート。
【図５】同じく、ステップＳ１１５における電力の流れを示したブロック図。
【図６】同じく、ステップＳ１１９における電力の流れを示したブロック図。
【図７】同じく、ステップＳ１２０における電力の流れを示したブロック図。
【図８】同じく、ステップＳ１２３における電力の流れを示したブロック図。
【図９】同じく、ステップＳ１２４における電力の流れを示したブロック図。
【図１０】第二実施形態に係る切替装置の動作の処理を示したフローチャート。
【図１１】同じく、ステップＳ１１５における電力供給システムの状態を示したブロック図。
【図１２】第三実施形態に係る電力供給システムの構成を示したブロック図。
【図１３】同じく、ＥＭＳによる切替装置の動作の処理を示したフローチャート。
【図１４】同じく、ステップＳ３１２における電力の流れを示したブロック図。
【図１５】同じく、ステップＳ３１３における電力の流れを示したブロック図。
【図１６】第四実施形態に係る切替装置の動作の処理を示したフローチャート。
【図１７】同じく、ステップＳ３１３における電力供給システムの状態を示したブロック図。
【発明を実施するための形態】
【００１７】
以下では、第一実施形態に係る電力供給システム１について説明する。
【００１８】
図１に示す電力供給システム１は、複数の戸建住宅（住宅Ｈ）からなる住宅街区（住宅Ｈの集合体）に適用することを想定している。具体的には、住宅街区には、複数の（戸建）住宅Ｈとして、第一住宅Ｈ１、第二住宅Ｈ２及び第三住宅Ｈ３等が設けられる。住宅街区においては、電力小売事業者が電力会社（系統電源Ｓ）から電力を一括購入し、当該購入した電力が各住宅Ｈに適宜供給（売却）される。
【００１９】
電力供給システム１は、電力小売事業者が電力会社から一括購入した電力を、複数の住宅Ｈ（第一住宅Ｈ１、第二住宅Ｈ２及び第三住宅Ｈ３）間で適宜供給（融通）するためのシステムである。図１に示すように、電力供給システム１は、主としてセンサ部１０、複数の蓄電装置２０、切替装置３０及びＥＭＳ５０を具備する。
【００２０】
複数の住宅Ｈ（第一住宅Ｈ１、第二住宅Ｈ２及び第三住宅Ｈ３）は、人が居住する建物である。各住宅Ｈには適宜の電気製品が設けられ、電力が消費される。
【００２１】
また、各住宅Ｈは、系統電源Ｓと接続される。具体的には、各住宅Ｈは、上流側端部が系統電源Ｓと接続されると共に下流側端部が分岐して各住宅Ｈと接続された配電線Ｌ（図１において、系統電源Ｓから各住宅Ｈまで左右方向に沿って延びる配電線Ｌ）等を介して、当該系統電源Ｓと接続される。
【００２２】
センサ部１０は、配電線Ｌを流通する電力を検出するものである。センサ部１０は、第一センサ１１、第二センサ１２及び第三センサ１３を具備する。第一センサ１１、第二センサ１２及び第三センサ１３は、それぞれ配置箇所を流通する電力を検出するものである。第一センサ１１、第二センサ１２及び第三センサ１３は、それぞれ検出結果に関する信号を出力可能に構成される。第一センサ１１、第二センサ１２及び第三センサ１３は、それぞれ後述する複数の蓄電装置２０と対応するように設けられる（１つの蓄電装置に対して、１つのセンサが設けられる）。第一センサ１１、第二センサ１２及び第三センサ１３は、それぞれ配電線Ｌにおいて、下流側（各住宅Ｈ側）から上流側（系統電源Ｓ側）へ向けて順番に配置される。
【００２３】
複数の蓄電装置２０（第一蓄電装置２１、第二蓄電装置２２及び第三蓄電装置２３）は、系統電源Ｓからの電力を適宜充放電するためのものである。各蓄電装置２０は、充放電可能な蓄電池や当該蓄電池の充放電を制御するパワーコンディショナ等を具備する。各蓄電装置２０は、所定の住宅Ｈに対応するように設けられる（１つの住宅Ｈに対して、１つの蓄電装置が設けられる）。各蓄電装置２０は、前記所定の住宅Ｈ（住宅Ｈの住人）に所有されている。第一蓄電装置２１、第二蓄電装置２２及び第三蓄電装置２３は、それぞれ配電線Ｌの中途部に接続される。第一蓄電装置２１、第二蓄電装置２２及び第三蓄電装置２３は、それぞれ配電線Ｌにおいて、下流側から上流側へ向けて順番に配置される。
【００２４】
第一蓄電装置２１は、配電線Ｌにおいて第一センサ１１の直ぐ下流側に配置された第一蓄電装置用連結点Ｐ１１に接続される。第一蓄電装置２１は、第一センサ１１と電気的に接続される。これによって、第一蓄電装置２１は、第一センサ１１と対応して設けられる。第一蓄電装置２１は、第一住宅Ｈ１の住人に所有されている。
【００２５】
第二蓄電装置２２は、配電線Ｌにおいて第二センサ１２の直ぐ下流側に配置された第二蓄電装置用連結点Ｐ１２に接続される。第二蓄電装置２２は、第二センサ１２と電気的に接続される。これによって、第二蓄電装置２２は、第二センサ１２と対応して設けられる。第二蓄電装置２２は、第二住宅Ｈ２の住人に所有されている。
【００２６】
第三蓄電装置２３は、配電線Ｌにおいて第三センサ１３の直ぐ下流側に配置された第三蓄電装置用連結点Ｐ１３に接続される。第三蓄電装置２３は、第三センサ１３と電気的に接続される。これによって、第三蓄電装置２３は、第三センサ１３と対応して設けられる。第三蓄電装置２３は、第三住宅Ｈ３の住人に所有されている。
【００２７】
このように構成される各蓄電装置２０（第一蓄電装置２１、第二蓄電装置２２及び第三蓄電装置２３）は、所定の充電時間帯（例えば、２３時から７時までの間）に、系統電源Ｓからの電力が充電されるように構成される。こうして、深夜料金が適用された比較的安価な電力を各蓄電装置２０に充電させ、当該充電させた電力を（深夜料金が適用されない）昼間の時間帯に放電させることにより、比較的高価な電力の購入量を減少させることができる。なお、各蓄電装置２０に充電させた電力は、電力小売事業者が電力会社から一括購入した後の電力が分配されたものである。すなわち、各蓄電装置２０に充電された電力の料金は、当該各蓄電装置２０を所有する住人から電力小売事業者へと支払われる。
【００２８】
また、各蓄電装置２０は、対応するセンサ部１０のセンサ（第一センサ１１、第二センサ１２及び第三センサ１３）から出力された信号が入力され、当該入力された信号に基づいて当該センサの検出結果を取得可能に構成される。各蓄電装置２０は、対応するセンサ部１０のセンサの検出結果に基づいて、放電（出力）する電力量を調整する負荷追従運転を行うことができる。
【００２９】
また、各蓄電装置２０は、所定の期間（本実施形態においては、直近の２４時間）の間に放電した電力量の総和である積算放電電力量を算出可能に構成される。
【００３０】
このような各蓄電装置２０が接続された配電線Ｌには、複数の切替用連結点（第一切替用連結点Ｐ２１から第八切替用連結点Ｐ２８まで）が設けられる。第一切替用連結点Ｐ２１から第八切替用連結点Ｐ２８までは、それぞれ配電線Ｌにおいて、上流側から下流側へ向けて順番に配置される。
【００３１】
より詳細には、第一切替用連結点Ｐ２１及び第二切替用連結点Ｐ２２は、系統電源Ｓと第三センサ１３との間に設けられる。第二切替用連結点Ｐ２２は、第三センサ１３の直ぐ上流側に設けられる。第三切替用連結点Ｐ２３は、第三蓄電装置用連結点Ｐ１３の直ぐ下流側に設けられる。第四切替用連結点Ｐ２４は、第二センサ１２の直ぐ上流側に設けられる。第五切替用連結点Ｐ２５は、第二蓄電装置用連結点Ｐ１２の直ぐ下流側に設けられる。第六切替用連結点Ｐ２６は、第一センサ１１の直ぐ上流側に設けられる。第七切替用連結点Ｐ２７は、第一蓄電装置用連結点Ｐ１１の直ぐ下流側に設けられる。第八切替用連結点Ｐ２８は、配電線Ｌの下流側端部（分岐する部分）の直ぐ上流側に設けられる。
【００３２】
このような第一切替用連結点Ｐ２１から第八切替用連結点Ｐ２８までには、複数の切替用配電線（第一切替用配電線Ｌ１から第八切替用配電線Ｌ８まで）が適宜接続される。
【００３３】
より詳細には、第一切替用配電線Ｌ１は、その一端部が第一切替用連結点Ｐ２１と接続されると共に、その他端部が第四切替用連結点Ｐ２４と接続される。第二切替用配電線Ｌ２は、その一端部が第一切替用連結点Ｐ２１と接続されると共に、その他端部が第六切替用連結点Ｐ２６と接続される。第三切替用配電線Ｌ３は、その一端部が第二切替用連結点Ｐ２２と接続されると共に、その他端部が第五切替用連結点Ｐ２５と接続される。第四切替用配電線Ｌ４は、その一端部が第二切替用連結点Ｐ２２と接続されると共に、その他端部が第七切替用連結点Ｐ２７と接続される。第五切替用配電線Ｌ５は、その一端部が第三切替用連結点Ｐ２３と接続されると共に、その他端部が第六切替用連結点Ｐ２６と接続される。第六切替用配電線Ｌ６は、その一端部が第三切替用連結点Ｐ２３と接続されると共に、その他端部が第八切替用連結点Ｐ２８と接続される。第七切替用配電線Ｌ７は、その一端部が第四切替用連結点Ｐ２４と接続されると共に、その他端部が第七切替用連結点Ｐ２７と接続される。第八切替用配電線Ｌ８は、その一端部が第五切替用連結点Ｐ２５と接続されると共に、その他端部が第八切替用連結点Ｐ２８と接続される。
【００３４】
このような第一切替用配電線Ｌ１から第八切替用配電線Ｌ８までと配電線Ｌとによって、系統電源Ｓ及び各蓄電装置２０から各住宅Ｈへと電力を供給するための経路（給電経路）が複数形成される。なお、給電経路の詳細については、切替装置３０の動作の処理を説明する際に適宜説明する。
【００３５】
切替装置３０は、給電経路を切り替えるためのものである。切替装置３０は、複数のスイッチ（第一スイッチ３１から第十二スイッチ４２まで）を具備する。第一スイッチ３１から第十二スイッチ４２までは、第一切替用配電線Ｌ１から第八切替用配電線Ｌ８まで又は配電線Ｌに適宜設けられ、当該設けられた箇所を開閉する。第一スイッチ３１から第十二スイッチ４２までは、例えば、機械式リレーによって構成される。
【００３６】
第一スイッチ３１は、配電線Ｌの中途部、より詳細には第一切替用連結点Ｐ２１と第二切替用連結点Ｐ２２との間に設けられる。第二スイッチ３２は、第一切替用配電線Ｌ１の中途部に設けられる。第三スイッチ３３は、第二切替用配電線Ｌ２の中途部に設けられる。第四スイッチ３４は、配電線Ｌの中途部、より詳細には第三切替用連結点Ｐ２３と第四切替用連結点Ｐ２４との間に設けられる。第五スイッチ３５は、第五切替用配電線Ｌ５の中途部に設けられる。第六スイッチ３６は、第六切替用配電線Ｌ６の中途部に設けられる。第七スイッチ３７は、配電線Ｌの中途部、より詳細には第五切替用連結点Ｐ２５と第六切替用連結点Ｐ２６との間に設けられる。第八スイッチ３８は、第八切替用配電線Ｌ８の中途部に設けられる。第九スイッチ３９は、配電線Ｌの中途部、より詳細には第七切替用連結点Ｐ２７と第八切替用連結点Ｐ２８との間に設けられる。第十スイッチ４０は、第四切替用配電線Ｌ４の中途部に設けられる。第十一スイッチ４１は、第七切替用配電線Ｌ７の中途部に設けられる。第十二スイッチ４２は、第三切替用配電線Ｌ３の中途部に設けられる。
【００３７】
ＥＭＳ５０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ５０は、ＣＰＵ等の演算処理部、ＲＡＭやＲＯＭ等の記憶部や、タッチパネル等の入出力部等を具備する。ＥＭＳ５０の記憶部には、電力供給システム１の動作を制御する際に用いられる種々の情報やプログラム等が予め記憶される。ＥＭＳ５０の演算処理部は、前記プログラムを実行して前記種々の情報を用いた所定の演算処理等を行うことで、電力供給システム１を動作させることができる。
【００３８】
また、ＥＭＳ５０は、各蓄電装置２０と電気的に接続される。ＥＭＳ５０は、各蓄電装置２０から所定の信号が入力可能に構成され、各蓄電装置２０の積算放電電力量を取得することができる。
【００３９】
また、ＥＭＳ５０は、切替装置３０と電気的に接続される。ＥＭＳ５０は、所定の信号を切替装置３０に出力可能に構成され、切替装置３０の動作を制御する（第一スイッチ３１から第十二スイッチ４２までの開閉を行う）ことができる。
【００４０】
以下では、図２を参照して電力供給システム１による電力の供給（融通）態様について説明する。なお、以下において、切替装置３０は、動作していない（非動作時である）ものとする。この場合、図２に示すように、配電線Ｌに設けられるスイッチ（第一スイッチ３１、第四スイッチ３４、第七スイッチ３７及び第九スイッチ３９）が閉状態となる。また、その他のスイッチ（第二スイッチ３２、第三スイッチ３３、第五スイッチ３５、第六スイッチ３６、第八スイッチ３８及び第十スイッチ４０から第十二スイッチ４２まで）は、開状態となる。こうして、電力供給システム１においては、切替装置３０の非動作時において、配電線Ｌだけを介して各住宅Ｈに電力を供給する。
【００４１】
また、図２及び図５から図９までに示す実線の矢印は、給電経路（電力の流通方向）を示すものである。また、図２及び図５から図９までにおいては、第一切替用配電線Ｌ１から第八切替用配電線Ｌ８まで及び配電線Ｌのうち、給電経路とは異なる部分を点線で示している。
【００４２】
図２に示す状態において、系統電源Ｓからの電力は、各住宅Ｈの消費電力に応じて、配電線Ｌを介して当該各住宅Ｈに供給される。この場合、複数の蓄電装置２０のうち配電線Ｌの最も下流側に配置された第一蓄電装置２１は、第一センサ１１の検出結果に基づいて負荷追従運転を行って、所定の電力量の電力を放電する。こうして、第一蓄電装置２１から放電された電力は、各住宅Ｈへと供給される。なお、第一蓄電装置２１から電力が放電されると、系統電源Ｓからの電力量が減少する。
【００４３】
また、各住宅Ｈの消費電力を第一蓄電装置２１からの電力だけで賄えない場合には、不足する分の電力が系統電源Ｓから各住宅Ｈに供給される。すなわち、系統電源Ｓからの電力（不足する分の電力）が、配電線Ｌを介して各住宅Ｈに供給される。この場合、複数の蓄電装置２０のうち、第一蓄電装置２１よりも一つ上流側に配置された第二蓄電装置２２は、第二センサ１２の検出結果に基づいて負荷追従運転を行って、所定の電力量の電力を放電する。こうして、第二蓄電装置２２から放電された電力は、各住宅Ｈへと供給される。なお、第二蓄電装置２２から電力が放電されると、系統電源Ｓからの電力量がさらに減少する。
【００４４】
また、各住宅Ｈの消費電力を第一蓄電装置２１及び第二蓄電装置２２からの電力だけで賄えない場合には、第三蓄電装置２３からの放電が開始される。このように、配電線Ｌから各住宅Ｈに電力が供給される場合には、各住宅Ｈの消費電力に応じて、第一蓄電装置２１、第二蓄電装置２２、第三蓄電装置２３の順番に放電が開始されていく。
【００４５】
なお、第三蓄電装置２３から電力が放電されても各住宅Ｈの消費電力が賄えない場合には、系統電源Ｓから不足する分の電力が購入される（系統電源Ｓから購入された電力が、各住宅Ｈへと供給される）。
【００４６】
こうして、電力供給システム１においては、各蓄電装置２０から放電された電力を、当該各蓄電装置２０を所有する住人（住宅Ｈ）だけでなく、その他の住人（住宅Ｈ）へも供給することとなる。すなわち、電力小売事業者が電力会社から一括購入して、各蓄電装置２０に充電させた電力（それぞれの住宅Ｈの住人が料金を支払った後の電力）を、複数の住宅Ｈ間で適宜融通することができる。
【００４７】
なお、上述の如く各蓄電装置２０から放電された電力は、当該各蓄電装置２０を所有する住人が電力小売事業者から購入したものである。このような構成においては、一の蓄電装置２０に充電させた電力（当該一の蓄電装置２０を所有する住人が電力小売事業者から購入した電力）を、他の蓄電装置２０を所有する住宅Ｈ（住人）へと融通した場合、当該融通した電力量分の料金が、最終的に当該他の住宅Ｈの住人から一の住宅Ｈの住人へと支払われる。
【００４８】
仮に、配電線Ｌだけを介して各住宅Ｈに電力を融通する場合には、複数の蓄電装置２０における放電量に偏りが生じるため、問題が生じることがある。
【００４９】
具体的には、上述の如く、配電線Ｌだけを介して（第一切替用配電線Ｌ１から第八切替用配電線Ｌ８までを使わずに）電力を融通する場合においては、まず第一蓄電装置２１の放電が開始され、各住宅Ｈの消費電力が賄えない場合に、第二蓄電装置２２、第三蓄電装置２３の順番に放電が開始されていく。このため、放電量は、電力が流通する方向における下流側に配置された蓄電装置２０から順番（第一蓄電装置２１、第二蓄電装置２２、第三蓄電装置２３の順番）に多くなる。そのため、複数の住宅Ｈ間で電力が融通されたことによる料金（他の住宅Ｈの住人から一の住宅Ｈの住人へと支払われる料金）は、第一蓄電装置２１を所有する第一住宅Ｈ１の住人が多く得ることとなる。
【００５０】
また、第一蓄電装置２１から放電された電力だけで各住宅Ｈの消費電力が賄えている場合には、第二蓄電装置２２及び第三蓄電装置２３から電力が放電されない。このような場合、複数の住宅Ｈ間で電力が融通されたことによる料金は、第一蓄電装置２１を所有する第一住宅Ｈ１の住人だけが得ることとなる。
【００５１】
このように、配電線Ｌだけを介して各住宅Ｈに電力を融通する場合には、複数の蓄電装置２０における放電量に偏りが生じるため、複数の住宅Ｈ（住人）間で得ることができる料金が不均等となり問題であった。また、複数の蓄電装置２０における放電量に偏りが生じるため、複数の蓄電装置２０における寿命（耐用年数）が不均等となり問題であった。
【００５２】
そこで、電力供給システム１においては、ＥＭＳ５０によって複数の蓄電装置２０における放電量の偏りを抑制するための処理（各蓄電装置２０の放電に所定の放電優先順位を設定する等の処理）が行われる。
【００５３】
以下では、このようなＥＭＳ５０による放電量の偏りを抑制するための処理について説明する。当該処理は、例えば、各住宅Ｈで電力の融通を開始する直前や融通を開始してから一定時間経過後等に行われる。
【００５４】
ＥＭＳ５０は、まず事前設定の処理を行い、その後に切替装置３０の動作の処理を行う。
【００５５】
事前設定の処理においては、ＥＭＳ５０は、放電優先順位の設定を行う。また、切替装置３０の動作の処理においては、ＥＭＳ５０は、放電優先順位に基づいて、切替装置３０を具体的に動作させる。なお、放電優先順位とは、各蓄電装置２０のうち、どの蓄電装置２０を優先的に放電させるのかを決定する判断基準となるものである。
【００５６】
まず以下では、図３を用いて、ＥＭＳ５０による事前設定の処理について説明する。
【００５７】
ステップＳ１０１において、ＥＭＳ５０は、各蓄電装置２０の積算放電電力量を取得する。これにより、ＥＭＳ５０は、各蓄電装置２０において直近の２４時間の間に放電された電力量の総和を取得する。ＥＭＳ５０は、ステップＳ１０１の処理を実行した後、ステップＳ１０２の処理を実行する。
【００５８】
ステップＳ１０２において、ＥＭＳ５０は、ステップＳ１０１で取得した積算放電電力量に基づいて、各蓄電装置２０の放電優先順位を設定する。具体的には、ＥＭＳ５０は、各蓄電装置２０に対して、積算放電電力量の少ない順番に高い放電優先順位（第一位、第二位、第三位）を設定する。
【００５９】
こうして、ＥＭＳ５０は、ステップＳ１０２の処理を実行した後、事前設定の処理を終了する。
【００６０】
次に、図２及び図４から図９までを用いて、ＥＭＳ５０による第一実施形態に係る切替装置３０の動作の処理について説明する。切替装置３０の動作の処理は、電力が流通する方向における下流側から順番に、放電優先順位の上位となる蓄電装置２０が配置された給電経路を形成するための処理である。ＥＭＳ５０は、切替装置３０を制御することで、電力が流通する方向における各蓄電装置２０の互いの位置関係（上流と下流との関係）を変更して当該処理を実行する。なお、切替装置３０の動作に際して、第一スイッチ３１から第十二スイッチ４２までは全て開状態となっているものとする。
【００６１】
図４に示すように、ステップＳ１１１において、ＥＭＳ５０は、放電優先順位の第一位が第一蓄電装置２１であるか否かを判断する。ＥＭＳ５０は、放電優先順位の第一位が第一蓄電装置２１であると判断すると（ステップＳ１１１でＹＥＳ）、ステップＳ１１２の処理を実行する。
【００６２】
ステップＳ１１２において、ＥＭＳ５０は、第九スイッチ３９を閉状態にする（図２参照）。ＥＭＳ５０は、ステップＳ１１２の処理を実行した後、ステップＳ１１３の処理を実行する。
【００６３】
ステップＳ１１３において、ＥＭＳ５０は、放電優先順位の第三位が第三蓄電装置２３であるか否かを判断する。ＥＭＳ５０は、放電優先順位の第三位が第三蓄電装置２３であると判断すると（ステップＳ１１３でＹＥＳ）、ステップＳ１１４の処理を実行する。
【００６４】
ステップＳ１１４において、図２及び図４に示すように、ＥＭＳ５０は、第一スイッチ３１、第四スイッチ３４及び第七スイッチ３７を閉状態にする。
【００６５】
ＥＭＳ５０は、放電優先順位が第一位から順番に、第一蓄電装置２１、第二蓄電装置２２、第三蓄電装置２３となった場合に（ステップＳ１１１・１１３でＹＥＳ）、このようなステップＳ１１４の処理を実行する。これにより、ステップＳ１１４において、ＥＭＳ５０は、配電線Ｌだけを介して各住宅Ｈに電力を融通するように給電経路を切り替える。これによれば、切り替えられた給電経路において、下流側から順番に第一蓄電装置２１（第一蓄電装置用連結点Ｐ１１）、第二蓄電装置２２（第二蓄電装置用連結点Ｐ１２）、第三蓄電装置２３（第三蓄電装置用連結点Ｐ１３）、を配置することができる。これによって、放電優先順位に従って、第一蓄電装置２１から優先的に放電させることができる。また、第一蓄電装置２１だけで電力を賄えない場合に、第二蓄電装置２２から優先的に放電させることができる。
【００６６】
ＥＭＳ５０は、ステップＳ１１４の処理を実行した後、切替装置３０の動作の処理を終了する。
【００６７】
また、図４に示すように、ステップＳ１１３において、ＥＭＳ５０は、放電優先順位の第三位が第三蓄電装置２３でないと判断すると（ステップＳ１１３でＮＯ）、ステップＳ１１５の処理を実行する。
【００６８】
ステップＳ１１５において、図４及び図５に示すように、ＥＭＳ５０は、第二スイッチ３２、第五スイッチ３５及び第十二スイッチ４２を閉状態にする。
【００６９】
ＥＭＳ５０は、放電優先順位が第一位から順番に、第一蓄電装置２１、第三蓄電装置２３、第二蓄電装置２２となった場合に（ステップＳ１１１でＹＥＳ、かつステップＳ１１３でＮＯ）、このようなステップＳ１１５の処理を実行する。これにより、ステップＳ１１５において、ＥＭＳ５０は、配電線Ｌ、第一切替用配電線Ｌ１、第三切替用配電線Ｌ３及び第五切替用配電線Ｌ５を介して各住宅Ｈに電力を融通するように給電経路を切り替える。これによって、切り替えられた給電経路においては、系統電源Ｓから配電線Ｌの第一切替用連結点Ｐ２１まで、第一切替用配電線Ｌ１、配電線Ｌの第四切替用連結点Ｐ２４から第五切替用連結点Ｐ２５まで、第三切替用配電線Ｌ３、配電線Ｌの第二切替用連結点Ｐ２２から第三切替用連結点Ｐ２３まで、第五切替用配電線Ｌ５、配電線Ｌの第六切替用連結点Ｐ２６から各住宅Ｈまでの順に電力が流通するようになる。
【００７０】
これによれば、切り替えられた給電経路において、下流側から順番に第一蓄電装置２１（第一蓄電装置用連結点Ｐ１１）、第三蓄電装置２３（第三蓄電装置用連結点Ｐ１３）、第二蓄電装置２２（第二蓄電装置用連結点Ｐ１２）を配置することができる。これによって、放電優先順位に従って、第一蓄電装置２１から優先的に放電させることができる。また、第一蓄電装置２１だけで電力を賄えない場合に、第三蓄電装置２３から優先的に放電させることができる。
【００７１】
ＥＭＳ５０は、ステップＳ１１５の処理を実行した後、切替装置３０の動作の処理を終了する。
【００７２】
また、図４に示すように、ステップＳ１１１において、ＥＭＳ５０は、放電優先順位の第一位が第一蓄電装置２１でないと判断すると（ステップＳ１１１でＮＯ）、ステップＳ１１６の処理を実行する。
【００７３】
ステップＳ１１６において、ＥＭＳ５０は、放電優先順位の第一位が第二蓄電装置２２であるか否かを判断する。ＥＭＳ５０は、放電優先順位の第一位が第二蓄電装置２２であると判断すると（ステップＳ１１６でＹＥＳ）、ステップＳ１１７の処理を実行する。
【００７４】
ステップＳ１１７において、ＥＭＳ５０は、第八スイッチ３８を閉状態にする（図６参照）。ＥＭＳ５０は、ステップＳ１１７の処理を実行した後、ステップＳ１１８の処理を実行する。
【００７５】
ステップＳ１１８において、ＥＭＳ５０は、放電優先順位の第三位が第一蓄電装置２１であるか否かを判断する。ＥＭＳ５０は、放電優先順位の第三位が第一蓄電装置２１であると判断すると（ステップＳ１１８でＹＥＳ）、ステップＳ１１９の処理を実行する。
【００７６】
ステップＳ１１９において、図４及び図６に示すように、ＥＭＳ５０は、第三スイッチ３３、第四スイッチ３４及び第十スイッチ４０を閉状態にする。
【００７７】
ＥＭＳ５０は、放電優先順位が第一位から順番に、第二蓄電装置２２、第三蓄電装置２３、第一蓄電装置２１となった場合に（ステップＳ１１６・１１８でＹＥＳ）、このようなステップＳ１１９の処理を実行する。これにより、ステップＳ１１９において、ＥＭＳ５０は、配電線Ｌ、第二切替用配電線Ｌ２、第四切替用配電線Ｌ４及び第八切替用配電線Ｌ８を介して各住宅Ｈに電力を融通するように給電経路を切り替える。これによって、切り替えられた給電経路においては、系統電源Ｓから配電線Ｌの第一切替用連結点Ｐ２１まで、第二切替用配電線Ｌ２、配電線Ｌの第六切替用連結点Ｐ２６から第七切替用連結点Ｐ２７まで、第四切替用配電線Ｌ４、配電線Ｌの第二切替用連結点Ｐ２２から第五切替用連結点Ｐ２５まで、第八切替用配電線Ｌ８、配電線Ｌの第八切替用連結点Ｐ２８から各住宅Ｈまでの順に電力が流通するようになる。
【００７８】
これによれば、切り替えられた給電経路において、下流側から順番に第二蓄電装置２２（第二蓄電装置用連結点Ｐ１２）、第三蓄電装置２３（第三蓄電装置用連結点Ｐ１３）、第一蓄電装置２１（第一蓄電装置用連結点Ｐ１１）、を配置することができる。これによって、放電優先順位に従って、第二蓄電装置２２から優先的に放電させることができる。また、第二蓄電装置２２だけで電力を賄えない場合に、第三蓄電装置２３から優先的に放電させることができる。
【００７９】
ＥＭＳ５０は、ステップＳ１１９の処理を実行した後、切替装置３０の動作の処理を終了する。
【００８０】
また、図４に示すように、ステップＳ１１８において、ＥＭＳ５０は、放電優先順位の第三位が第一蓄電装置２１でないと判断すると（ステップＳ１１８でＮＯ）、ステップＳ１２０の処理を実行する。
【００８１】
ステップＳ１２０において、図４及び図７に示すように、ＥＭＳ５０は、第一スイッチ３１、第五スイッチ３５及び第十一スイッチ４１を閉状態にする。
【００８２】
ＥＭＳ５０は、放電優先順位が第一位から順番に、第二蓄電装置２２、第一蓄電装置２１、第三蓄電装置２３となった場合に（ステップＳ１１６でＹＥＳ、かつステップＳ１１８でＮＯ）、このようなステップＳ１２０の処理を実行する。これにより、ステップＳ１２０において、ＥＭＳ５０は、配電線Ｌ、第五切替用配電線Ｌ５、第七切替用配電線Ｌ７及び第八切替用配電線Ｌ８を介して各住宅Ｈに電力を融通するように給電経路を切り替える。これによって、切り替えられた給電経路においては、系統電源Ｓから配電線Ｌの第三切替用連結点Ｐ２３まで、第五切替用配電線Ｌ５、配電線Ｌの第六切替用連結点Ｐ２６から第七切替用連結点Ｐ２７まで、第七切替用配電線Ｌ７、配電線Ｌの第四切替用連結点Ｐ２４から第五切替用連結点Ｐ２５まで、第八切替用配電線Ｌ８、配電線Ｌの第八切替用連結点Ｐ２８から各住宅Ｈまでの順に電力が流通するようになる。
【００８３】
これによれば、切り替えられた給電経路において、下流側から順番に第二蓄電装置２２（第二蓄電装置用連結点Ｐ１２）、第一蓄電装置２１（第一蓄電装置用連結点Ｐ１１）、第三蓄電装置２３（第三蓄電装置用連結点Ｐ１３）を配置することができる。これによって、放電優先順位に従って、第二蓄電装置２２から優先的に放電させることができる。また、第二蓄電装置２２だけで電力を賄えない場合に、第一蓄電装置２１から優先的に放電させることができる。
【００８４】
ＥＭＳ５０は、ステップＳ１２０の処理を実行した後、切替装置３０の動作の処理を終了する。
【００８５】
また、図４に示すように、ステップＳ１１６において、ＥＭＳ５０は、放電優先順位の第一位が第二蓄電装置２２でないと判断すると（ステップＳ１１６でＮＯ）、放電優先順位の第一位が第三蓄電装置２３であると判断し、ステップＳ１２１の処理を実行する。
【００８６】
ステップＳ１２１において、ＥＭＳ５０は、第六スイッチ３６を閉状態にする（図８参照）。ＥＭＳ５０は、ステップＳ１２１の処理を実行した後、ステップＳ１２２の処理を実行する。
【００８７】
ステップＳ１２２において、ＥＭＳ５０は、放電優先順位の第三位が第一蓄電装置２１であるか否かを判断する。ＥＭＳ５０は、放電優先順位の第三位が第一蓄電装置２１であると判断すると（ステップＳ１２２でＹＥＳ）、ステップＳ１２３の処理を実行する。
【００８８】
ステップＳ１２３において、図４及び図８に示すように、ＥＭＳ５０は、第三スイッチ３３、第十一スイッチ４１及び第十二スイッチ４２を閉状態にする。
【００８９】
ＥＭＳ５０は、放電優先順位が第一位から順番に、第三蓄電装置２３、第二蓄電装置２２、第一蓄電装置２１となった場合に（ステップＳ１１６でＮＯ、かつステップＳ１２２でＮＯ）、このようなステップＳ１２３の処理を実行する。これにより、ステップＳ１２３において、ＥＭＳ５０は、配電線Ｌ、第二切替用配電線Ｌ２、第七切替用配電線Ｌ７、第三切替用配電線Ｌ３及び第六切替用配電線Ｌ６を介して各住宅Ｈに電力を融通するように給電経路を切り替える。これによって、切り替えられた給電経路においては、系統電源Ｓから配電線Ｌの第一切替用連結点Ｐ２１まで、第二切替用配電線Ｌ２、配電線Ｌの第六切替用連結点Ｐ２６から第七切替用連結点Ｐ２７まで、第七切替用配電線Ｌ７、配電線Ｌの第四切替用連結点Ｐ２４から第五切替用連結点Ｐ２５まで、第三切替用配電線Ｌ３、配電線Ｌの第二切替用連結点Ｐ２２から第三切替用連結点Ｐ２３まで、第六切替用配電線Ｌ６、配電線Ｌの第八切替用連結点Ｐ２８から各住宅Ｈまでの順に電力が流通するようになる。
【００９０】
これによれば、切り替えられた給電経路において、下流側から順番に第三蓄電装置２３（第三蓄電装置用連結点Ｐ１３）、第二蓄電装置２２（第二蓄電装置用連結点Ｐ１２）、第一蓄電装置２１（第一蓄電装置用連結点Ｐ１１）を配置することができる。これによって、放電優先順位に従って、第三蓄電装置２３から優先的に放電させることができる。また、第三蓄電装置２３だけで電力を賄えない場合に、第二蓄電装置２２から優先的に放電させることができる。
【００９１】
ＥＭＳ５０は、ステップＳ１２３の処理を実行した後、切替装置３０の動作の処理を終了する。
【００９２】
また、図４に示すように、ステップＳ１２２において、ＥＭＳ５０は、放電優先順位の第三位が第一蓄電装置２１でないと判断すると（ステップＳ１２２でＮＯ）、ステップＳ１２４の処理を実行する。
【００９３】
ステップＳ１２４において、図４及び図９に示すように、ＥＭＳ５０は、第二スイッチ３２、第七スイッチ３７及び第十スイッチ４０を閉状態にする。
【００９４】
ＥＭＳ５０は、電優先順位が第一位から順番に、第三蓄電装置２３、第一蓄電装置２１、第二蓄電装置２２となった場合に（ステップＳ１１６・１２２でＮＯ）、このようなステップＳ１２３の処理を実行する。これにより、ステップＳ１２３において、ＥＭＳ５０は、配電線Ｌ、第一切替用配電線Ｌ１、第四切替用配電線Ｌ４及び第六切替用配電線Ｌ６を介して各住宅Ｈに電力を融通するように給電経路を切り替える。これによって、切り替えられた給電経路においては、系統電源Ｓから配電線Ｌの第一切替用連結点Ｐ２１まで、第一切替用配電線Ｌ１、配電線Ｌの第四切替用連結点Ｐ２４から第七切替用連結点Ｐ２７まで、第四切替用配電線Ｌ４、配電線Ｌの第二切替用連結点Ｐ２２から第三切替用連結点Ｐ２３まで、第六切替用配電線Ｌ６、配電線Ｌの第八切替用連結点Ｐ２８から各住宅Ｈまでの順に電力が流通するようになる。
【００９５】
これによれば、切り替えられた給電経路において、下流側から順番に第三蓄電装置２３（第三蓄電装置用連結点Ｐ１３）、第一蓄電装置２１（第一蓄電装置用連結点Ｐ１１）、第二蓄電装置２２（第二蓄電装置用連結点Ｐ１２）を配置することができる。これによって、放電優先順位に従って、第三蓄電装置２３から優先的に放電させることができる。また、第三蓄電装置２３だけで電力を賄えない場合に、第一蓄電装置２１から優先的に放電させることができる。
【００９６】
ＥＭＳ５０は、ステップＳ１２４の処理を実行した後、切替装置３０の動作の処理を終了する。
【００９７】
以上のように、ＥＭＳ５０は、設定した放電優先順位に従って（放電優先順位の第一位から順番に下流側に配置されるように）給電経路を切り替えることによって、積算放電電力量の少ない蓄電装置２０を優先的に放電させることができる。これによれば、各蓄電装置２０における放電電力量の偏り（積算放電電力量の偏り）の解消を図ることができる。これによって、複数の住宅Ｈ（住人）間で得ることができる料金の均等化を図ることができる。
【００９８】
また、各蓄電装置２０における放電電力量に生じた偏りの解消を図ることによって、当該各蓄電装置２０における充放電回数の偏りも解消することができる。こうして、各蓄電装置２０における充放電回数を均等化させることができるため、ひいては当該各蓄電装置２０における寿命（耐用年数）の均等化を図ることができる。
【００９９】
また、電力供給システム１によれば、放電優先順位の第一位の蓄電装置２０から順番に下流側に配置されるように給電経路を切り替えることができる。このため、各蓄電装置２０は、各住宅Ｈで電力を融通する際に、対応するセンサ部１０のセンサの検出結果に基づいて負荷追従運転を行うだけで優先順位に応じた順番に放電することができる。これにより、簡単に（電力を融通している最中に各蓄電装置２０に対して特別な制御を行うことなく）各住宅Ｈで電力を融通することができる。
【０１００】
次に、図１０及び図１１等を用いて、ＥＭＳ５０による第二実施形態に係る切替装置３０の動作の処理について説明する。
【０１０１】
なお、第二実施形態に係る切替装置３０の動作の処理において、第一実施形態に係る切替装置３０の動作の処理と大きく異なる点は、ステップＳ２１１の処理が追加された点である。具体的には、ＥＭＳ５０は、ステップＳ１１１の処理を行う前に（最初に）、ステップＳ２１１の処理を実行する。
【０１０２】
図１０に示すように、ステップＳ２１１において、ＥＭＳ５０は、配電線Ｌに設けられる第一スイッチ３１、第四スイッチ３４、第七スイッチ３７及び第九スイッチ３９を閉状態にする。また、ＥＭＳ５０は、第一スイッチ３１等を閉状態にした後で、その他のスイッチ（第二スイッチ３２、第三スイッチ３３、第五スイッチ３５、第六スイッチ３６、第八スイッチ３８、第十スイッチ４０から第十二スイッチ４２まで）を開状態にする（図２参照）。これにより、ＥＭＳ５０は、放電優先順位の内容に関わらず、予め配電線Ｌだけを介して各住宅Ｈに電力を融通するように給電経路を切り替える。ＥＭＳ５０は、ステップＳ２１１の処理を実行した後、ステップＳ１１１の処理を実行する。
【０１０３】
なお、ステップＳ１１１において、ＥＭＳ５０は、放電優先順位の第一位が第一蓄電装置２１であると判断すると（ステップＳ１１１でＹＥＳ）、ステップＳ１１３の処理を実行する（第一実施形態に係るステップＳ１１２の処理を実行しない）。これは、ステップＳ２１１において既に第九スイッチ３９を閉状態にしている（ステップＳ１１２に相当する処理を実行している）ためである。
【０１０４】
ステップＳ１１３において、ＥＭＳ５０は、放電優先順位の第三位が第三蓄電装置２３でないと判断すると（ステップＳ１１３でＮＯ）、ステップＳ１１５の処理を実行する。これにより、図１０及び図１１に示すように、ＥＭＳ５０は、第二スイッチ３２、第五スイッチ３５及び第十二スイッチ４２を閉状態にする（切り替えようとする給電経路からも各住宅Ｈに電力を融通可能な状態にする）。
【０１０５】
ＥＭＳ５０は、第二スイッチ３２を閉状態にすることで、配電線Ｌを流通する電力が第一切替用配電線Ｌ１にも流通するようにする。また、ＥＭＳ５０は、第十二スイッチ４２を閉状態にすることで、配電線Ｌを流通する電力が第三切替用配電線Ｌ３にも流通するようにする。また、ＥＭＳ５０は、第五スイッチ３５を閉状態にすることで、配電線Ｌを流通する電力が第五切替用配電線Ｌ５にも流通するようにする。
【０１０６】
ＥＭＳ５０は、ステップＳ１１５の処理を実行した後、ステップＳ２１２の処理を実行する。
【０１０７】
ステップＳ２１２において、ＥＭＳ５０は、第一スイッチ３１、第四スイッチ３４及び第七スイッチ３７を開状態にする（図５参照）。これにより、ＥＭＳ５０は、放電優先順位に従って下流側から順番に第一蓄電装置２１、第三蓄電装置２３、第二蓄電装置２２が配置されるように給電経路を切り替える。
【０１０８】
これによれば、通電状態（ステップＳ２１１）を維持しつつ切り替えようとする給電経路に設けられたスイッチを閉状態にし（ステップＳ１１５）、その後に切り替えようとする給電経路とは異なる箇所に設けられたスイッチを開状態にする（ステップＳ２１２）ことができる。これによって、切替装置３０の動作の処理において、常に通電状態を維持することができるため、一時的な停電が発生することを防止できる。また、給電経路を切り替える前に、第一切替用配電線Ｌ１、第三切替用配電線Ｌ３及び第五切替用配電線Ｌ５と配電線Ｌとを同電位にする（電位が異なる状態での給電経路の切替を防止する）ことができる。これによって、ノイズやサージが発生することなく給電経路を切り替えることができる。
【０１０９】
ＥＭＳ５０は、ステップＳ２１２の処理を実行した後、切替装置３０の動作の処理を終了する。
【０１１０】
ＥＭＳ５０は、上記ステップＳ１１５・Ｓ２１２と同様の処理を、放電優先順位に応じて適宜実行する。
【０１１１】
具体的には、ＥＭＳ５０は、ステップＳ１１８において、放電優先順位の第三位が第一蓄電装置２１であると判断すると（ステップＳ１１８でＹＥＳ）、ステップＳ２１３を実行する。ＥＭＳ５０は、ステップＳ２１３において、第三スイッチ３３及び第十スイッチ４０を閉状態にする。なお、ステップＳ２１１において既に第四スイッチ３４を閉状態にしているため、ステップＳ２１３において、ＥＭＳ５０は、第四スイッチ３４に対する制御は行わない（第一実施形態に係るステップＳ１１９とは異なる処理となる）。ＥＭＳ５０は、ステップＳ２１３の処理を実行した後、ステップＳ２１４の処理を実行する。ＥＭＳ５０は、ステップＳ２１４において、第一スイッチ３１、第七スイッチ３７及び第九スイッチ３９を開状態にする（図６参照）。
【０１１２】
また、ＥＭＳ５０は、ステップＳ１１８において、放電優先順位の第三位が第一蓄電装置２１でないと判断すると（ステップＳ１１８でＮＯ）、ステップＳ２１５を実行する。ＥＭＳ５０は、ステップＳ２１５において、第五スイッチ３５及び第十一スイッチ４１を閉状態にする。なお、ステップＳ２１１において既に第一スイッチ３１を閉状態にしているため、ステップＳ２１５において、ＥＭＳ５０は、第一スイッチ３１に対する制御は行わない（第一実施形態に係るステップＳ１２０とは異なる処理となる）。ＥＭＳ５０は、ステップＳ２１５の処理を実行した後、ステップＳ２１６の処理を実行する。ＥＭＳ５０は、ステップＳ２１６において、第四スイッチ３４、第七スイッチ３７及び第九スイッチ３９を開状態にする（図７参照）。
【０１１３】
また、ＥＭＳ５０は、ステップＳ１２２において、放電優先順位の第三位が第一蓄電装置２１であると判断すると（ステップＳ１２２でＹＥＳ）、ステップＳ１２３・Ｓ２１７を実行する。これにより、ＥＭＳ５０は、ステップＳ１２３で第三スイッチ３３等を閉状態にした後で、ステップＳ２１７で第一スイッチ３１、第四スイッチ３４、第七スイッチ３７及び第九スイッチ３９を開状態にする（図８参照）。
【０１１４】
また、ＥＭＳ５０は、ステップＳ１２２において、放電優先順位の第三位が第一蓄電装置２１でないと判断すると（ステップＳ１２２でＮＯ）、ステップＳ２１８を実行する。ＥＭＳ５０は、ステップＳ２１８において、第二スイッチ３２及び第十スイッチ４０を閉状態にする。なお、ステップＳ２１１において既に第七スイッチ３７を閉状態にしているため、ステップＳ２１８において、ＥＭＳ５０は、第七スイッチ３７に対する制御は行わない（第一実施形態に係るステップＳ１２４とは異なる処理となる）。ＥＭＳ５０は、ステップＳ２１８の処理を実行した後、ステップＳ２１９の処理を実行する。ＥＭＳ５０は、ステップＳ２１９において、第一スイッチ３１、第四スイッチ３４及び第九スイッチ３９を開状態にする（図９参照）。
【０１１５】
なお、ＥＭＳ５０は、ステップＳ１１３において、放電優先順位の第三位が第三蓄電装置２３であると判断すると（ステップＳ１１３でＹＥＳ）、切替装置３０の動作の処理を終了する（第一実施形態に係るステップＳ１１４の処理を実行しない）。これは、ステップＳ２１１において既に第一スイッチ３１、第四スイッチ３４及び第七スイッチ３７を閉状態にしている（ステップＳ１１４に相当する処理を実行している）ためである。また、ステップＳ２１１において、ＥＭＳ５０は、第一スイッチ３１等を閉状態にした後で他のスイッチを開状態にするため、ノイズやサージや一時的な停電が発生することなく給電経路を切り替えることができる。
【０１１６】
以上によれば、第二実施形態に係る電力供給システム１は、全ての給電経路の切替において、一時的な停電やノイズやサージが発生することを防止できる。
【０１１７】
次に、図１２から図１６までを用いて、第三実施形態に係る電力供給システム３０１について説明する。
【０１１８】
図１２に示すように、第三実施形態に係る電力供給システム３０１は、二つの住宅Ｈ（第一住宅Ｈ１及び第二住宅Ｈ２）間で電力を融通する点が第一実施形態に係る電力供給システム１と大きく異なる点である。
【０１１９】
第三実施形態に係る電力供給システム３０１は、主としてセンサ部３１０、複数の蓄電装置３２０、切替装置３３０及びＥＭＳ３５０を具備する。
【０１２０】
センサ部３１０は、第三センサ１３を具備していない点を除いて第一実施形態に係るセンサ部１０と同様に構成される。複数の蓄電装置３２０は、第三蓄電装置２３を具備していない点を除いて第一実施形態に係る複数の蓄電装置２０と同様に構成される。
【０１２１】
各蓄電装置３２０が接続された配電線Ｌ（図１２において、系統電源Ｓから各住宅Ｈまで左右方向に延びる配電線Ｌ）には、複数の切替用連結点（第一切替用連結点Ｐ３２１から第六切替用連結点Ｐ３２６まで）が設けられる。第一切替用連結点Ｐ３２１から第六切替用連結点Ｐ３２６までは、それぞれ配電線Ｌにおいて、上流側（系統電源Ｓ側）から下流側（住宅Ｈ側）へ向けて順番に配置される。
【０１２２】
より詳細には、第一切替用連結点Ｐ２１及び第二切替用連結点Ｐ２２は、系統電源Ｓと第二センサ１２との間に設けられる。第二切替用連結点Ｐ２２は、第二センサ１２の直ぐ上流側に設けられる。第三切替用連結点Ｐ２３は、第二蓄電装置用連結点Ｐ１２の直ぐ下流側に設けられる。第四切替用連結点Ｐ２４は、第一センサの直ぐ上流側に設けられる。第五切替用連結点Ｐ２５は、第一蓄電装置用連結点Ｐ１１の直ぐ下流側に設けられる。第六切替用連結点Ｐ２６は、配電線Ｌの下流側端部（分岐する部分）の直ぐ上流側に設けられる。
【０１２３】
このような第一切替用連結点Ｐ３２１から第六切替用連結点Ｐ３２６までには、複数の切替用配電線（第一切替用配電線Ｌ３０１から第三切替用配電線Ｌ３０３まで）が適宜接続される。
【０１２４】
より詳細には、第一切替用配電線Ｌ３０１は、その一端部が第一切替用連結点Ｐ３２１と接続されると共に、その他端部が第四切替用連結点Ｐ３２４と接続される。第二切替用配電線Ｌ３０２は、その一端部が第二切替用連結点Ｐ３２２と接続されると共に、その他端部が第五切替用連結点Ｐ３２５と接続される。第三切替用配電線Ｌ３０３は、その一端部が第三切替用連結点Ｐ３２３と接続されると共に、その他端部が第六切替用連結点Ｐ３２６と接続される。
【０１２５】
このような第一切替用配電線Ｌ３０１から第三切替用配電線Ｌ３０３までと配電線Ｌとによって、給電経路が複数形成される。なお、給電経路の詳細については、切替装置３３０の動作の処理を説明する際に適宜説明する。
【０１２６】
切替装置３３０は、第一スイッチ３３１から第六スイッチ３３６までを具備する。第一スイッチ３３１から第六スイッチ３３６までは、例えば、機械式リレーによって構成される。
【０１２７】
第一スイッチ３３１は、配電線Ｌの中途部、より詳細には第一切替用連結点Ｐ３２１と第二切替用連結点Ｐ３２２との間に設けられる。第二スイッチ３３２は、第一切替用配電線Ｌ３０１の中途部に設けられる。第三スイッチ３３３は、配電線Ｌの中途部、より詳細には第三切替用連結点Ｐ３２３と第四切替用連結点Ｐ３２４との間に設けられる。第四スイッチ３３４は、第二切替用配電線Ｌ３０２の中途部に設けられる。第五スイッチ３３５は、配電線Ｌの中途部、より詳細には第五切替用連結点Ｐ３２５と第六切替用連結点Ｐ３２６との間に設けられる。第六スイッチ３３６は、第三切替用配電線Ｌ３０３の中途部に設けられる。
【０１２８】
ＥＭＳ３５０は、第一実施形態に係るＥＭＳ５０と略同様に構成される。ＥＭＳ３５０は、所定の信号を切替装置３３０に出力可能に構成され、切替装置３３０の動作を制御する（第一スイッチ３３１から第六スイッチ３３６までの開閉を行う）ことができる。
【０１２９】
以下では、第三実施形態に係るＥＭＳ３５０による放電量の偏りを抑制するための処理について説明する。
【０１３０】
ＥＭＳ３５０は、まず第一実施形態と同様に事前設定の処理を行って放電優先順位を設定する（図３参照）。その後、ＥＭＳ３５０は、切替装置３３０の動作の処理を行う。
【０１３１】
次に、図１３から図１５までを用いて、ＥＭＳ３５０による第三実施形態に係る切替装置３３０の動作の処理について説明する。なお、切替装置３３０の動作に際して、第一スイッチ３３１から第六スイッチ３３６までは全て開状態となっているものとする。また、図１４及び図１５に示す実線の矢印は、給電経路（電力の流通方向）を示すものである。また、図１４及び図１５においては、第一切替用配電線Ｌ３０１から第三切替用配電線Ｌ３０３まで及び配電線Ｌのうち、給電経路とは異なる部分を点線で示している。
【０１３２】
図１３に示すように、ステップＳ３１１において、ＥＭＳ３５０は、放電優先順位の第一位が第一蓄電装置２１であるか否かを判断する。ＥＭＳ３５０は、放電優先順位の第一位が第一蓄電装置２１であると判断すると（ステップＳ３１１でＹＥＳ）、ステップＳ３１２の処理を実行する。
【０１３３】
ステップＳ３１２において、図１３及び図１４に示すように、ＥＭＳ３５０は、第一スイッチ３３１、第三スイッチ３３３及び第五スイッチ３３５を閉状態にする。
【０１３４】
ＥＭＳ３５０は、放電優先順位が第一位から順番に、第一蓄電装置２１、第二蓄電装置２２となった場合に（ステップＳ３１１でＹＥＳ）、このようなステップＳ３１２の処理を実行する。これにより、ステップＳ３１２において、ＥＭＳ３５０は、配電線Ｌだけを介して各住宅Ｈに電力を融通するように給電経路を切り替える。これによれば、切り替えられた給電経路において、下流側から順番に第一蓄電装置２１（第一蓄電装置用連結点Ｐ１１）、第二蓄電装置２２（第二蓄電装置用連結点Ｐ１２）を配置することができる。これによって、放電優先順位に従って、第一蓄電装置２１から優先的に放電させることができる。また、第一蓄電装置２１だけで電力を賄えない場合に、第二蓄電装置２２から優先的に放電させることができる。なお、このようなステップＳ３１２の処理で切り替えられる給電経路（図１４に示す給電経路）は、切替装置３３０の非動作時にも使用される。
【０１３５】
ＥＭＳ３５０は、ステップＳ３１２の処理を実行した後、切替装置３３０の動作の処理を終了する。
【０１３６】
また、図１３に示すように、ステップＳ３１１において、ＥＭＳ３５０は、放電優先順位の第一位が第一蓄電装置２１でないと判断すると（ステップＳ３１１でＮＯ）、ステップＳ３１３の処理を実行する。
【０１３７】
ステップＳ３１３において、図１３及び図１５に示すように、ＥＭＳ３５０は、第二スイッチ３３２、第四スイッチ３３４及び第六スイッチ３３６を閉状態にする。
【０１３８】
ＥＭＳ３５０は、放電優先順位が第一位から順番に、第二蓄電装置２２、第一蓄電装置２１となった場合に（ステップＳ３１１でＮＯ）、このようなステップＳ３１３の処理を実行する。これにより、ステップＳ３１３において、ＥＭＳ３５０は、配電線Ｌ及び第一切替用配電線Ｌ３０１から第三切替用配電線Ｌ３０３までを介して各住宅Ｈに電力を融通するように給電経路を切り替える。これによって、切り替えられた給電経路においては、系統電源Ｓから配電線Ｌの第一切替用連結点Ｐ３２１まで、第一切替用配電線Ｌ３０１、配電線Ｌの第四切替用連結点Ｐ３２４から第五切替用連結点Ｐ３２５まで、第二切替用配電線Ｌ３０２、配電線Ｌの第二切替用連結点Ｐ３２２から第三切替用連結点Ｐ３２３まで、第三切替用配電線Ｌ３０３、配電線Ｌの第六切替用連結点Ｐ３２６から各住宅Ｈまでの順に電力が流通するようになる。
【０１３９】
これによれば、切り替えられた給電経路において、下流側から順番に第二蓄電装置２２（第二蓄電装置用連結点Ｐ１２）、第一蓄電装置２１（第一蓄電装置用連結点Ｐ１１）を配置することができる。これによって、放電優先順位に従って、第二蓄電装置２２から優先的に放電させることができる。また、第二蓄電装置２２だけで電力を賄えない場合に、第一蓄電装置２１から放電させることができる。
【０１４０】
ＥＭＳ３５０は、ステップＳ３１３の処理を実行した後、切替装置３３０の動作の処理を終了する。
【０１４１】
以上のように、第三実施形態に係る電力供給システム３０１は、２つの蓄電装置３２０における放電量の偏り（積算放電電力量の偏り）の解消を図ることができる。これによって、２つの住宅Ｈ（住人）間で得ることができる料金の均等化を図ることができる。また、２つの蓄電装置３２０における放電量に生じた偏りの解消を図ることによって、当該２つの蓄電装置３２０における充放電回数の偏りも解消することができる。
【０１４２】
次に、図１６及び図１７等を用いて、ＥＭＳ３５０による第四実施形態に係る切替装置３３０の動作の処理について説明する。
【０１４３】
なお、第四実施形態に係る切替装置３３０の動作の処理において、第三実施形態に係る切替装置３３０の動作の処理と大きく異なる点は、ステップＳ４１１の処理が追加された点である。具体的には、ＥＭＳ３５０は、ステップＳ３１１の処理を行う前に（最初に）、ステップＳ４１１の処理を実行する。
【０１４４】
図１６に示すように、ステップＳ４１１において、ＥＭＳ３５０は、配電線Ｌに設けられる第一スイッチ３３１、第三スイッチ３３３及び第五スイッチ３３５を閉状態にする。また、ＥＭＳ３５０は、第一スイッチ３３１等を閉状態にした後で、その他のスイッチ（第二スイッチ３３２、第四スイッチ３３４及び第六スイッチ３３６）を開状態にする。これにより、ＥＭＳ３５０は、放電優先順位の内容に関わらず、予め配電線Ｌだけを介して各住宅Ｈに電力を融通するように給電経路を切り替える。ＥＭＳ３５０は、ステップＳ４１１の処理を実行した後、ステップＳ３１１の処理を実行する。
【０１４５】
ステップＳ３１１において、ＥＭＳ３５０は、放電優先順位の第一位が第一蓄電装置２１でないと判断すると（ステップＳ３１１でＮＯ）、ステップＳ３１３の処理を実行する。これにより、図１６及び図１７に示すように、ＥＭＳ３５０は、第二スイッチ３３２、第四スイッチ３３４及び第六スイッチ３３６を閉状態にする。こうして、ＥＭＳ３５０は、ステップＳ３１１において、全てのスイッチ（第一スイッチ３３１から第六スイッチ３３６まで）を閉状態にする。
【０１４６】
ＥＭＳ３５０は、第二スイッチ３３２を閉状態にすることで、配電線Ｌを流通する電力が第一切替用配電線Ｌ３０１にも流通するようにする。また、ＥＭＳ３５０は、第四スイッチ３３４を閉状態にすることで、配電線Ｌを流通する電力が第二切替用配電線Ｌ３０２にも流通するようにする。また、ＥＭＳ３５０は、第六スイッチ３３６を閉状態にすることで、配電線Ｌを流通する電力が第三切替用配電線Ｌ３０３にも流通するようにする。
【０１４７】
ＥＭＳ３５０は、ステップＳ３１３の処理を実行した後、ステップＳ４１２の処理を実行する。
【０１４８】
ステップＳ４１２において、ＥＭＳ３５０は、第一スイッチ３３１、第三スイッチ３３３及び第五スイッチ３３５を開状態にする（図１５参照）。これにより、ＥＭＳ３５０は、放電優先順位に従って下流側から順番に第二蓄電装置２２、第一蓄電装置２１が配置されるように給電経路を切り替える。
【０１４９】
これによれば、通電状態（ステップＳ４１１）を維持しつつ切り替えようとする給電経路に設けられたスイッチを閉状態にし（ステップＳ３１３）、その後に切り替えようとする給電経路とは異なる箇所に設けられたスイッチを開状態にする（ステップＳ４１２）ことができる。これによって、切替装置３０の動作の処理において、常に通電状態を維持することができるため、一時的な停電が発生することを防止できる。また、ステップＳ４１２で給電経路を切り替える前に、第一切替用配電線Ｌ３０１から第三切替用配電線Ｌ３０３までと配電線Ｌとを同電位にすることができる。これによって、ノイズやサージが発生することなく給電経路を切り替えることができる。
【０１５０】
ＥＭＳ３５０は、ステップＳ４１２の処理を実行した後、切替装置３３０の動作の処理を終了する。
【０１５１】
なお、ＥＭＳ３５０は、ステップＳ３１１において、放電優先順位の第一位が第一蓄電装置２１であると判断すると（ステップＳ３１１でＹＥＳ）、切替装置３３０の動作の処理を終了する（第三実施形態に係るステップＳ３１２の処理を実行しない）。これは、ステップＳ４１１において既に第一スイッチ３３１等を閉状態にしている（ステップＳ３１２に相当する処理を実行している）ためである。
【０１５２】
以上によれば、第四実施形態に係る電力供給システム３０１は、二つの住宅Ｈで電力を融通する場合でも、給電経路の切替において、一時的な停電やノイズやサージが発生することを防止できる。
【０１５３】
なお、第一実施形態から第四実施形態までにおいては、蓄電装置２０・３２０の個数が２個又は３個である場合について説明したが、蓄電装置２０・３２０の個数（各住宅Ｈの数）は、２個以上の任意の数とすることができる。仮に、蓄電装置２０・３２０の個数をＮとした場合、切替装置３０・３３０のスイッチの個数は、以下のような関係を満たせばよい。
【０１５４】
すなわち、切替装置３０・３３０のスイッチのうち、配電線Ｌに設けられるスイッチの個数は、Ｎ＋１個とすればよい。当該Ｎ＋１個のスイッチは、系統電源Ｓと最も系統電源Ｓ側の蓄電装置２０・３２０との間、各蓄電装置２０・３２０の間、最も住宅Ｈ側の蓄電装置２０・３２０と住宅Ｈとの間にそれぞれ配置されればよい。このような配電線Ｌは、上流側端部が系統電源Ｓと接続されると共に下流側端部が各住宅Ｈと接続され、中途部にセンサ部１０・１１０のセンサが適宜設けられる。また、配電線Ｌには、蓄電装置用連結点Ｐ１１〜Ｐ１３を介して、一端部が各蓄電装置２０・３２０と接続される所定の配電線（蓄電装置用連結点Ｐ１１〜Ｐ１３と各蓄電装置２０・３２０とを結ぶ配電線）が接続される。
【０１５５】
また、配電線Ｌには、Ｎ２−１本の切替用配電線が適宜接続されればよい。当該Ｎ２−１本の切替用配電線に１個ずつスイッチが設けられればよい。すなわち、切替装置３０・３３０のスイッチのうち、切替用配電線に設けられるスイッチの個数は、Ｎ２−１個とすればよい。
【０１５６】
ＥＭＳ５０・３５０は、このような切替装置３０・３３０のＮ＋１個のスイッチとＮ２−１個のスイッチとを適宜切り替えることで、Ｎ個の蓄電装置２０・３２０における放電電力量の偏り（積算放電電力量の偏り）の解消を図ることができる。
【０１５７】
以上の如く、本実施形態に係る電力供給システム１・１０１は、
配電線Ｌ・Ｌ１〜Ｌ８・Ｌ３０１〜Ｌ３０３を介して各住宅Ｈ（負荷）へ電力を放電可能な複数の蓄電装置２０・３２０と、
前記配電線Ｌ・Ｌ１〜Ｌ８・Ｌ３０１〜Ｌ３０３における給電経路を切り替えることで、電力の流通方向における前記複数の蓄電装置２０・３２０の互いの位置関係を変更する切替装置３０・３３０と、
前記蓄電装置２０・３２０の積算放電電力量を取得し、当該取得した積算放電電力量の少ない順番に、前記蓄電装置２０・３２０の放電の優先順位を設定し、前記切替装置３０・３３０の動作を制御することで、前記優先順位が上位の蓄電装置２０・３２０ほど前記電力の流通方向における下流側に配置されるように前記給電経路を切り替えるＥＭＳ５０・３５０（制御部）と、
を具備するものである。
【０１５８】
このように構成することにより、複数の蓄電装置２０・３２０のうち特定の蓄電装置２０・３２０に放電や充電が偏ることを効果的に防止することができる。
【０１５９】
また、前記切替装置３０・３３０は、
前記配電線Ｌ・Ｌ１〜Ｌ８・Ｌ３０１〜Ｌ３０３に設けられ、当該設けられた箇所を開閉する複数のスイッチ３１〜４２・３３１〜３３６（開閉機構）を有し、当該スイッチ３１〜４２・３３１〜３３６を開閉することで前記給電経路を切り替えるものである。
【０１６０】
このように構成することにより、簡単に給電経路を切り替えることができる。
【０１６１】
また、前記蓄電装置２０・３２０は、
前記配電線Ｌ・Ｌ１〜Ｌ８・Ｌ３０１〜Ｌ３０３にＮ個接続されるものであり、
前記配電線Ｌ・Ｌ１〜Ｌ８・Ｌ３０１〜Ｌ３０３には、
系統電源Ｓから前記各住宅Ｈに至る配電線Ｌ（第一配電線）と、
前記配電線Ｌ上の互いに異なる２点に接続された複数の切替用配電線Ｌ１〜Ｌ８・Ｌ３０１〜Ｌ３０３（第二配電線）と、
が含まれ、
前記複数のスイッチ３１〜４２・３３１〜３３６には、
前記配電線Ｌに設けられるＮ＋１個の前記スイッチ３１・３４・３７・３９・３３１・３３３・３３５と、
前記各切替用配電線Ｌ１〜Ｌ８・Ｌ３０１〜Ｌ３０３に設けられるＮ２−１個の前記スイッチ３２・３３・３５・３６・３８・４０・４１・４２・３３２・３３４・３３６と、
が含まれるものである。
【０１６２】
このように構成することにより、Ｎ個の蓄電装置２０・３２０のうち特定の蓄電装置２０・３２０に放電や充電が偏ることを効果的に防止することができる。
【０１６３】
また、前記ＥＭＳ５０・３５０は、
前記給電経路を第一給電経路から当該第一給電経路とは異なる第二給電経路に切り替える間、第三給電経路を電力供給可能な状態に保持するものである。
【０１６４】
このように構成することにより、一時的な停電やノイズやサージが発生することなく給電経路を切り替えることができる。
【０１６５】
また、前記第三給電経路は、
前記切替装置３０・３３０の非動作時に使用される給電経路である。
【０１６６】
このように構成することにより、一時的な停電やノイズやサージが発生することなく給電経路を切り替えることができる。また、シンプルな給電経路を用いて通電状態を維持することができる。
【０１６７】
なお、本実施形態に係る住宅Ｈは、負荷の実施の一形態である。
また、本実施形態に係るＥＭＳ５０・３５０は、制御部の実施の一形態である。
また、本実施形態に係るスイッチ３１〜４２・３３１〜３３６は、開閉機構の実施の一形態である。
また、本実施形態に係る配電線Ｌは、第一配電線の実施の一形態である。
また、本実施形態に係る各切替用配電線Ｌ１〜Ｌ８・Ｌ３０１〜Ｌ３０３は、第二配電線の実施の一形態である。
また、本実施形態に係るスイッチ３１・３４・３７・３９・３３１・３３３・３３５は、第一配電線に設けられる開閉機構の実施の一形態である。
また、本実施形態に係るスイッチ３２・３３・３５・３６・３８・４０・４１・４２・３３２・３３４・３３６は、第二配電線に設けられる開閉機構の実施の一形態である。
【０１６８】
以上、本発明の実施形態を説明したが、本発明は上記構成に限定されるものではなく、特許請求の範囲に記載された発明の範囲内で種々の変更が可能である。
【０１６９】
例えば、上記実施形態においては、電力小売事業者が電力会社から一括購入した電力を、複数の住宅Ｈ間で適宜供給（融通）するとしたが、電力小売事業者が電力会社から一括購入するものでなくともよい。
【０１７０】
また、各蓄電装置２０・３２０は、それぞれ自然エネルギーを用いて発電する発電装置（例えば、太陽光発電装置）や、所定の燃料を用いて発電する発電装置（例えば、燃料装置）等を具備する構成であってもよい。
【０１７１】
また、積算放電電力量を算出する際の所定の期間は、直近の２４時間に限るものではなく、任意に設定可能である。
【０１７２】
また、積算放電電力量の算出は、必ずしも各蓄電装置２０・３２０が行う必要はなく、例えば、ＥＭＳ５０・３５０が行ってもよい。
【０１７３】
また、放電優先順位の設定には、所定の期間（本実施形態においては、直近の２４時間）の間に放電した電力量の総和である積算放電電力量が用いられていたが、例えば所定の期間の間に充電した電力量の総和である積算充電電力量を用いてもよいし、積算放電電力量及び積算充電電力量の両方を用いてもよい。
【０１７４】
また、切替装置３０・３３０の各スイッチ３１〜４２・３３１〜３３６は、機械式リレーによって構成されるものとしたが、これに限定されるものではなく、半導体リレーによって構成されるものであってもよい。
【０１７５】
また、第二実施形態に係るＥＭＳ５０は、ステップＳ２１１において配電線Ｌに設けられるスイッチ（第一スイッチ３１、第四スイッチ３４、第七スイッチ３７及び第九スイッチ３９）を閉状態にしたが、ステップＳ２１１で閉状態にするスイッチは、これに限定されるものではない。ＥＭＳ５０は、ステップＳ２１１において、給電経路のいずれか一つから各住宅Ｈに電力を融通可能となるようにスイッチを閉状態にすればよい。例えば、ＥＭＳ５０は、第三スイッチ３３、第六スイッチ３６、第十一スイッチ４１及び第十二スイッチ４２を閉状態にしてもよい（図８参照）。このように、給電経路を切り替える間、電力供給可能な状態に維持する経路（第三給電経路）は、切替装置３０の非動作時に使用されない給電経路であってもよい。これは、第四実施形態に係るステップＳ４１１においても同様である。すなわち、第四実施形態に係るＥＭＳ３５０は、ステップＳ４１１で第二スイッチ３３２、第四スイッチ３３４及び第六スイッチ３３６を閉状態してもよい。
【符号の説明】
【０１７６】
１          電力供給システム
２０        蓄電装置
３０        切替装置
５０        ＥＭＳ（制御部）
Ｈ          住宅（負荷）
Ｌ          配電線
Ｌ１〜Ｌ８  切替用配電線（配電線）
【図１】
2017221050.tif 000003
【図２】
2017221050.tif 000004
【図３】
2017221050.tif 000005
【図４】
2017221050.tif 000006
【図５】
2017221050.tif 000007
【図６】
2017221050.tif 000008
【図７】
2017221050.tif 000009
【図８】
2017221050.tif 000010
【図９】
2017221050.tif 000011
【図１０】
2017221050.tif 000012
【図１１】
2017221050.tif 000013
【図１２】
2017221050.tif 000014
【図１３】
2017221050.tif 000015
【図１４】
2017221050.tif 000016
【図１５】
2017221050.tif 000017
【図１６】
2017221050.tif 000018
【図１７】
2017221050.tif 000019